(57)【特許請求の範囲】
【請求項１】
軸受と、軸受ユニット構成部品とを有する鉄道車両用の軸受ユニットにおいて、
前記軸受ユニット構成部品として、前記軸受を組み付けたハウジングと、前記軸受に嵌合した車軸と、前記軸受の内輪と共に車軸に固定される前後の蓋と、軸受の外輪の一端部および他端部にそれぞれ設けられるシールカバーとが有り、前記前後の蓋，前記シールカバー，および前記ハウジングの内の少なくとも一つにＩＣタグを取付けた鉄道車両用ＩＣタグ付き軸受ユニット。
【請求項２】
請求項１において、前記軸受にもＩＣタグを取付けた鉄道車両用ＩＣタグ付き軸受ユニット。
【請求項３】
請求項２において、前記軸受ユニット構成部品に取付けられたＩＣタグが、読み書きの両方が可能なＩＣタグであり、前記軸受に取付けたＩＣタグが読み出し専用のＩＣタグであり、前記読み書きの両方が可能なＩＣタグを取付けた軸受ユニット構成部品と軸受とを関連付ける情報を、軸受に取付けられた読み出し専用のＩＣタグに記録した鉄道車両用ＩＣタグ付き軸受ユニット。
【請求項４】
請求項１ないし請求項３のいずれか１項において、前記いずれかの軸受ユニット構成部品の内の少なくとも一つに、読み書きの両方が可能なＩＣタグを取付け、この読み書きの両方が可能なＩＣタグを取付けた軸受ユニット構成部品と軸受との組み合わせを示すための印を前記軸受に施した鉄道車両用ＩＣタグ付き軸受ユニット。
【発明の詳細な説明】
【技術分野】
【０００１】
この発明は、非接触通信により交信が可能なＩＣタグを備えた鉄道車両用ＩＣタグ付き軸受ユニットに関する。
【背景技術】
【０００２】
従来、軸受の仕様等、軸受自体に関する各種情報は、製品自体に刻印したり、梱包箱に記載していた。しかし、軸受自体や梱包箱に記載できる内容は最小限のものに限られる。そこで、このような情報の記録手段として、各種物品に取付けられて、小型で多量の情報記録が可能なＲＦＩＤ（無線周波数識別）技術を応用したＲＦＩＤ用ＩＣタグ（例えば特許文献１）を用い、これを軸受に取付けることが提案されている（例えば特願２００３−３９３３６１，特願２００３−４１４３４９）。なお、ＲＦＩＤ用のＩＣタグには、読み出し専用のものと、読み書きの両方が可能なものとがある。
【特許文献１】特開２００２−２９８１１６号公報
【発明の開示】
【発明が解決しようとする課題】
【０００３】
しかし、上記したようにＩＣタグを取付けた軸受では、この軸受を装置に組み込んでしまうと、軸受が軸受箱内に収容されてしまうことから、ＩＣタグのＲＦＩＤ情報を読み出すことがでない。この場合には装置を分解して軸受を取り出す必要があり、非常に手間がかかるという問題が有る。
【０００４】
この発明の目的は、軸受を組み込んだ状態のままで、その軸受の各種情報を得ることのできる鉄道車両用ＩＣタグ付き軸受ユニットを提供することである。
【課題を解決するための手段】
【０００５】
この発明の鉄道車両用ＩＣタグ付き軸受ユニットは、軸受と、軸受ユニット構成部品とを有する鉄道車両用の軸受ユニットにおいて、前記軸受ユニット構成部品として、前記軸受を組み付けたハウジングと、前記軸受に嵌合した車軸と、前記軸受の内輪と共に車軸に固定される前後の蓋と、軸受の外輪の一端部および他端部にそれぞれ設けられるシールカバーとが有り、前記前後の蓋，前記シールカバー，および前記ハウジングの内の少なくとも一つにＩＣタグを取付けたものである。
前記軸受にもＩＣタグを取付けても良い。
この構成によると、軸受ユニット構成部品に取付けたＩＣタグに軸受の仕様情報やメンテナンス情報等を記録することにより、軸受を組み込んだ状態のままでも、前記ＩＣタグから情報を読み出すことによって軸受仕様やメンテナンス情報を簡単に読み出すことができる。これにより、メンテナンスの作業性を向上させることができる。また、軸受に取付けられたＩＣタグに、例えば軸受の識別情報等を記録しておくことで、軸受ユニットの分解後に再度組み込むときに、軸受に取付けられたＩＣタグから識別情報を読み出すことができて、これにより軸受の組み込み間違いを回避することができる。
なお、軸受ユニット構成部品に取付けるＩＣタグは、読み書きの両方が可能なものに限らず、読み出し専用のものであっても良い。その場合は、このＩＣタグに識別情報等を記述しておき、パーソナルコンピュータ等の情報処理装置を用いて上記ＩＣタグの記録情報に対応させた表等を作れば、その表等を元に各種の情報を管理することができる。
【０００６】
この発明において、前記軸受ユニット構成部品に取付けられたＩＣタグが、読み書きの両方が可能なＩＣタグであり、前記軸受に取付けたＩＣタグが読み出し専用のＩＣタグであり、前記読み書きの両方が可能なＩＣタグを取付けた軸受ユニット構成部品と軸受とを関連付ける情報を、軸受に取付けられた読み出し専用のＩＣタグに記録しても良い。
この構成の場合は、例えばメンテナンスの度に、軸受ユニット構成部品に取付けられたＩＣタグのメンテナンス情報を書き換えたり追記することができ、このＩＣタグから読み出すメンテンナンス情報によって常に最新の軸受履歴を知ることができる。そのため、メンテナンスの作業性をより向上させることができる。また、軸受に取付けられたＩＣタグから関連付け情報を読み出すことにより、軸受の組み込み間違いが回避される。軸受に取付けられるＩＣタグは、読み出し専用のものとしたが、軸受に取付けられるＩＣタグは、書き込みの必要性が低く、むしろ情報が不測に書換わる恐れのある読み書き可能なＩＣタグよりも信頼性の面で好ましい。また、読み出し専用は小型で安価であるため、軸受に取付けるＩＣタグとして、取付場所の確保や経済性の面でも好ましい。
【０００７】
この発明のいずれかにおいて、前記いずれかの軸受ユニット構成部品の少なくとも一つにＩＣタグを取付け、この読み書きの両方が可能なＩＣタグを取付けた軸受ユニット構成部品と軸受との組み合わせを示すための印を前記軸受に施したものである。
軸受には、ＩＣタグを取付ける代わりに、上記のように印を付しておくようにしても、軸受ユニットを分解後に再度組み込むときに、その印を作業者が見ることで、あるいはその印を適宜の手段で読み取ることで、軸受の識別が行える。そのため、軸受の組み込み間違いを回避することができる。
この場合に、前記軸受ユニット構成部品に取付けられた前記読み書きの両方が可能なＩＣタグに前記印の情報を記録しても良い。これによって、軸受ユニット構成部品と軸受との組み合わせがより容易かつ確実に判別される。
【発明の効果】
【０００８】
この発明の鉄道車両用ＩＣタグ付き軸受ユニットは、軸受と、軸受ユニット構成部品とを有する鉄道車両用の軸受ユニットにおいて、前記軸受ユニット構成部品として、前記軸受を組み付けたハウジングと、前記軸受に嵌合した車軸と、前記軸受の内輪と共に車軸に固定される前後の蓋と、軸受の外輪の一端部および他端部にそれぞれ設けられるシールカバーとが有り、前記前後の蓋，前記シールカバー，および前記ハウジングの内の少なくとも一つにＩＣタグを取付けたため、軸受を組み込んだ状態のままで、その軸受の各種情報を得ることができる。また、軸受ユニットの分解後に再度組み込むときに、軸受ユニット構成部品と軸受との組み合わせの間違いが回避できる。
前記軸受に取付けられるＩＣタグの代わりに、軸受ユニット構成部品と軸受との組み合わせを示すための印を軸受に施した場合も、上記と同様に組み合わせの間違い回避の効果が得られる。
【発明を実施するための最良の形態】
【０００９】
この発明の第１の実施形態を図１ないし図３と共に説明する。この１Ｃタグ付き軸受ユニットは、鉄道車両の車軸１９の支持に用いられるものであり、軸受１と、それぞれ軸受ユニット構成部品であるハウジング１４、油切り２，２、および前後の蓋３，４を備える。軸受１は、ころ軸受、詳しくは複列の円すいころ軸受からなり、各列のころ７，７に対して設けた分割型の内輪５Ａ，５Ａと、一体型の外輪６と、前記ころ７，７と、保持器８と、両分割内輪５Ａ，５Ａ間に設けられた内輪間座９とで構成される。
【００１０】
油切り２は、車軸１９の外径面に取付けられて外周にオイルシール等のシール部材１０を摺接させるものであり、軸受１の内輪５の両側に各々接して設けられている。シール部材１０は外輪６の両端部にその幅方向に突出して取付けられたリング状の各シールカバー１１の内周にそれぞれ取付けられている。後蓋４は、軸受１よりも長さ方向の中央側で取付けられ、この後蓋４と内輪５とで一方の油切り２が軸方向に挟まれる。この油切り２の外周に、外輪６の一端部のシールカバー１１に取付けられたシール部材１０が摺接する。シールカバー１１の先端は、後蓋４の幅面に形成された環状溝４ａに遊嵌し、ラビリンスシールを構成する。前蓋３は、車軸１９の端部を覆うように配置され、この前蓋３と内輪５とで他方の油切り２が軸方向に挟まれる。この油切り２の外周に、外輪６の他端部のシールカバー１１の内周に取付けられるシール部材１０が摺接される。このシールカバー１１の先端は、前蓋３の幅面に形成された環状溝３ａに遊嵌し、ラビリンスシールを構成する。
これら軸受ユニット構成部品である油切り２，２、および前後の蓋３，４は、軸受内輪５と共に、車軸１９にボルト２０で固定される。外輪６はハウジング１４の内周に圧入固定される。
【００１１】
軸受ユニット構成部品の一つである前蓋３の前面の一部には、ＲＦＩＤ用のＩＣタグ１５が取付けられる。このＩＣタグ１５は、読み書きの両方が可能なものであって、軸受１の仕様情報や、点検日や使用履歴などのメンテナンス情報が記録される。この１Ｃタグ１５の取付けは、図２のように樹脂等の絶縁体１７を介して行われる。これにより、ＩＣタグ１５の取付部である前蓋３が金属製であっても、マイクロ波による情報読み出しにおいてマイクロ波が前蓋３に吸収されて読み出し不能となるのを回避できる。
【００１２】
軸受１には、その分割型の内輪５Ａの幅面に、別のＲＦＩＤ用のＩＣタグ１６が取付けられる。このＩＣタグ１６は、読み出し専用のものであって、前記ＩＣタグ１５を取付けた軸受ユニット構成部品（前蓋３）と軸受１とを関連付ける情報が記録される。この関連付け情報は、例えば軸受１の識別情報であっても良く、またその他の適宜の情報であっても良い。このＩＣタグ１６の取付けも、図３のように樹脂等の絶縁体１８を介して行われる。ＩＣタグ１６はＩＣチップ１６ａおよびアンテナ１６ｂを有する。なお、前蓋３に取付けられるＩＣタグ１５もＩＣタグ１６と略同様の構成とされる。
【００１３】
図６は、読み書きの両方が可能なＩＣタグ１５の回路構成例を示す。このＩＣタグ１５は、例えばＩＣチップからなり、中央処理装置（ＣＰＵ）５１、メモリ５２、送受信回路５３、および電源回路５４を有している。電源回路５４はアンテナ５５から電源を取るものとされている。メモリ５２は、情報の記憶に電源が不要なものが用いられる。アンテナ５５は、前記ＩＣチップと共通の基板に設けられたものであっても、またＩＣチップに設けられたものであっても良い。
【００１４】
この構成のＩＣタグ付き軸受ユニットによると、軸受１を組み込んだ後でも、その組込み状態のままで、軸受ユニット構成部品である前蓋３の前面に取付けられたＩＣタグ１５から、軸受１の仕様情報を簡単に読み出すことができる。また、そのＩＣタグ１５から、軸受１の点検日や使用履歴などのメンテナンス情報を読み出すことができる。このため、軸受１のメンテナンスの作業性が向上する。また、ＩＣタグ１５は読み書きの両方が可能なものとしているので、メンテナンスを行う毎にメンテナンス情報を書き換えたり追記することが可能であり、常に最新の軸受履歴を知ることができ、メンテナンスの作業性がより向上する。
また、軸受内輪５に取付けられたＩＣタグ１６には軸受ユニット構成部品（前蓋３）と軸受１とを関連付ける情報が記録されているので、分解後に再度組み立てるときに、軸受１のＩＣタグ１６から前記関連付け情報を読み出すことにより、軸受ユニット構成部品（前蓋３）との関連を知ることができる。そのため、軸受１の組込み間違いを防止することができる。
【００１５】
なお、前記実施形態では、一方のＩＣタグ１５を前蓋３の前面に取付け、他方のＩＣタグ１６を軸受内輪５の幅面に取付けたが、これに限らず、例えば図４のように一方のＩＣタグ１５を前蓋３の外縁部３ａに取付け、図５のように他方のＩＣタグ１６を軸受外輪６の幅面に取付けても良い。また、ＩＣタグ１５を取付ける軸受ユニット構成部品は、前蓋４に限らず、後蓋５やシールカバー１１、あるいはハウジング１４であっても良い。
【００１６】
また、この実施形態では、軸受ユニット構成部品である前蓋３に取付けるＩＣタグ１５を読み書きの両方が可能なものとしたが、これに代えて読み出し専用のＩＣタグを用いても良い。この場合は、このＩＣタグにＩＣタグの識別記号を付記すると共に、この識別記号とメンテナンス情報を対応付けた表を別のパーソナルコンピュータ等の情報処理装置上に作る必要がある。このように、パーソナルコンピュータ上に上記識別記号とメンテナンス情報を対応付けた表を作ることにより、その表上において識別記号に対応する軸受１のメンテナンス情報をメンテナン毎に書き換えたり追記して、この表から常に最新の軸受履歴を知ることができる。
【００１７】
また、この実施形態において、ＩＣタグ１６を省略して、ＩＣタグ１５を取付けた軸受ユニット構成部品（前蓋３）と軸受１との組み合わせを示す印５０（図１参照）を軸受１に施すと共に、ＩＣタグ１５に前記印の情報を記録するようにしても良い。印５０は、例えば刻印とされ、軸受１の識別情報等を示すものとされる。
【００１８】
このように関連付け用の印５０を設けた場合も、軸受ユニットの分解後に再度組み立てるとき、ＩＣタグ１５から前記印５０の情報を読み出すことにより、この印５０の施された軸受１を、対応する軸受ユニット構成部品と正しく組み合わせることができ、軸受１の組込み間違いを防止することができる。
【図面の簡単な説明】
【００１９】
【図１】この発明の第１の実施形態にかかるＩＣタグ付き軸受ユニットの縦断面図である。
【図２】同軸受ユニットの正面図である。
【図３】同軸受ユニットの横断面図である。
【図４】この発明の他の実施形態にかかるＩＣタグ付き軸受ユニットの部分縦断面図である。
【図５】同軸受ユニットの正面図である。
【図６】ＩＣタグの回路構成例のブロック図である。
【符号の説明】
【００２０】
１…軸受
３…前蓋
４…後蓋
１０…シール部材
１４…ハウジング
１５，１６…ＩＣタグ
１９…車軸
２１…軸受
２３…前蓋
２４…後蓋
【図１】
0004606060.tif 000002
【図２】
0004606060.tif 000003
【図３】
0004606060.tif 000004
【図４】
0004606060.tif 000005
【図５】
0004606060.tif 000006
【図６】
0004606060.tif 000007